(57)【要約】【課題】本発明は、冷却ファン装置の取り付け時に電源リード線の余長の処置を容易に行うことができ、電源リード線が冷却ファン装置の羽根で破損することを防止できる冷却ファン取付構造を得ることを目的とする。【解決手段】本発明は、冷却ファン装置２を取付対象の保持具に取り付ける冷却ファンの取付構造に関する。冷却ファン装置２は、保持具側を向く第１の面、その反対側の第２の面、溝形状２ｂが第１の面から第２の面へと形成された側面を備える。また、冷却ファン装置２の第２の面に対面して配設される、ファン穴３ａを有する取付板３を備え、冷却ファン装置２は、第２の面において取付板３との間に空間を形成する凹形状２ｃを備える。冷却ファン装置２の電源リード線２ａは、冷却ファン装置２の第２の面側から側面の溝形状２ｂを通って第１の面側へと引き回され、その余長は第２の面の凹形状２ｃ内に収納可能である。【選択図】  図２
2008294243.tif 000002
【特許請求の範囲】
【請求項１】
冷却ファン装置を取付対象の保持具に取り付ける冷却ファンの取付構造であって、
前記冷却ファン装置は、前記保持具側を向く第１の面と、その反対側の第２の面と、溝形状が前記第１の面から前記第２の面へと形成された側面とを備え、
前記冷却ファンの取り付け構造は、前記冷却ファン装置の前記第２の面に対面して配設される、ファン穴を有する取付板を備え、
前記冷却ファン装置は、前記第２の面において、前記取付板との間に空間を形成する凹形状をさらに備え、
前記冷却ファン装置の電源リード線は、当該冷却ファン装置の前記第２の面側から前記側面の前記溝形状を通って前記第１の面側へと引き回され、その余長は前記第２の面の前記凹形状内に収納可能であることを特徴とする、冷却ファンの取付構造。
【請求項２】
前記冷却ファン装置は、前記凹形状内に形成されたフック形状をさらに備え、
前記電源リード線の前記余長を前記フック形状に係止可能であることを特徴とする、請求項１に記載の冷却ファンの取付構造。
【請求項３】
冷却ファン装置を取付対象の保持具に取り付ける冷却ファンの取付構造であって、
前記冷却ファン装置は、前記保持具側を向く第１の面と、その反対側の第２の面と、溝形状が前記第１の面から前記第２の面へと形成された側面とを備え、
前記冷却ファンの取り付け構造は、前記冷却ファン装置の前記第２の面に対面して配設される、ファン穴を有する取付板を備え、
前記取付板は、前記冷却ファン装置の前記第２の面と対面する面において、前記第２の面との間に空間を形成する凹形状を備え、
前記冷却ファン装置の電源リード線は、当該冷却ファン装置の前記第２の面側から前記側面の前記溝形状を通って前記第１の面側へと引き回され、その余長は前記取付板の前記凹形状内に収納可能であることを特徴とする、冷却ファンの取付構造。
【請求項４】
前記取付板は、前記凹形状内に形成されたフック形状をさらに備え、
前記電源リード線の前記余長を前記フック形状に係止可能であることを特徴とする、請求項３に記載の冷却ファンの取付構造。
【発明の詳細な説明】
【技術分野】
【０００１】
本発明は、冷却ファンの取付構造に関し、特に電源リード線の余長引き回しに関する。
【背景技術】
【０００２】
冷却ファン装置を備えた機器の従来構造の一例を、以下に示す。
【０００３】
冷却ファン装置は、ファン穴が形成された対向する第１の面と第２の面を有する直方形状の外装体を有し、その内部に冷却ファンを備える。また、第２の面からは冷却ファン装置を駆動するための電源リード線が引き出されており、側面（第１の面と第２の面をつなぐ面）には、第１の面から第２の面へと溝形状が形成される。
【０００４】
冷却ファン装置の取付対象である機器については、その筐体において冷却ファン装置が設置されるための開口穴、および開口穴の奥の角部には冷却ファン装置を固定させるためのねじ穴が形成された保持具が形成される。筐体内部には、冷却ファン装置の電源リード線と接続されるためのコネクターが設置される。
【０００５】
冷却ファン装置は、第１の面が機器の保持具側を向くように、筐体の開口穴に設置される。このとき、電源リード線は冷却ファン装置の第２の面から側面に形成された溝形状を通って第１の面側へと引き回され、さらに筐体の内部に配置されているコネクターに接続される。
【０００６】
このような構成において、電源リード線は冷却ファン装置を設置する前に開口穴を介してコネクターと接続される為、余長をもって形成される。従って、冷却ファン装置とコネクターとの間の狭い空間で配線処理しなければならない。このとき、電源リード線の余長は組付状態においてたるみとなり、余長部分が移動したり吸い込まれて、冷却ファンの羽根に接触して破損することがある。
【０００７】
これに対し、冷却ファン装置における電源リード線の余長処置に関するものが、特許文献１に示されている。特許文献１では、冷却ファン装置の取付対象である制御装置について、冷却ファン装置の取り付け面に密着すると共にファン穴が形成された仕切り部材と、冷却ファン装置の位置を決める位置決め部材を有し、仕切り部材と位置決め部材との間に空隙が形成され、そこから電源リード線を引き出す構成となっている。仕切部材によって電源リード線と冷却ファン装置の羽根との接触が阻止される。
【０００８】
【特許文献１】特開２００１−２６７７７０号公報
【発明の開示】
【発明が解決しようとする課題】
【０００９】
しかし、特許文献１の構成においても、例えば電源リード線接続用のコネクターが、取付対象における冷却ファン装置に近い通風路に形成されているような場合は、冷却ファン装置の近くの狭い空間で配線処理しなければならない。このとき、電源リード線の余長は組付状態においてたるみとなり、余長部分が移動したり吸い込まれて、冷却ファン装置の羽根に接触して破損することがある。
【００１０】
この発明は上記の様な問題点を解消するために成されたもので、冷却ファン装置の取り付け時に電源リード線の余長の処置を容易に行うことができ、電源リード線が冷却ファン装置の羽根で破損することを防止できる冷却ファン取付構造を得ることを目的とする。
【課題を解決するための手段】
【００１１】
本発明は、冷却ファン装置を取付対象の保持具に取り付ける冷却ファンの取付構造に関する。冷却ファン装置は、保持具側を向く第１の面、その反対側の第２の面、溝形状が第１の面から第２の面へと形成された側面を備える。また、冷却ファン装置の第２の面に対面して配設される、ファン穴を有する取付板を備え、冷却ファン装置は、第２の面において取付板との間に空間を形成する凹形状を備える。冷却ファン装置の電源リード線は、冷却ファン装置の第２の面側から側面の溝形状を通って第１の面側へと引き回され、その余長は第２の面の凹形状内に収納可能である。
【発明の効果】
【００１２】
冷却ファンの電源リード線を溝形状に引き廻した後、電源リード線のたるみを冷却ファン装置の凹形状に収納することにより、たるみが取付対象の筐体内部で発生しないので、電源リード線が冷却ファン装置の羽根に接触し破損することを防止することが可能である。
【発明を実施するための最良の形態】
【００１３】
以下、この発明をその実施の形態を示す図面に基づいて具体的に説明する。
【００１４】
＜実施の形態１＞
（構成）
図１は、本実施の形態に係る冷却ファン取付構造を示す分解図であり、図２はその組付図である。
【００１５】
図１において、冷却ファン装置２の取付対象である筐体１には、冷却ファン装置２を納めるための開口穴１ａ、冷却ファン装置２を取り付けるためのねじ穴が形成された保持具１ｂが形成されている。
【００１６】
冷却ファン装置２については、保持具１ｂ側を向く面を第１の面、その反対側を第２の面、第１の面と第２の面をつなぐ面を側面とする。冷却ファン装置２の内部には冷却ファンが内蔵されている。冷却ファン装置２は電源リード線２ａを第２の面に備え、電源リード線２ａは冷却ファン装置２の側面において第１の面から第２の面へと形成された溝形状２ｂを通り第１の面側へと引き回され、筐体２の内部に配置されている基板４に設けられたコネクター４ａに接続される。この電源リード線２ａは、冷却ファン２を保持具１ｂに取付ける前に、開口穴１ａを介し接続される為、余長のある状態になっている。
【００１７】
冷却ファン装置２のさらに外側には、冷却ファン装置２の第２の面に対面して配設される、ファン穴３ａが形成された取付板３を有する。冷却ファン装置２は、第２の面において取付板３との間に空間を形成する凹形状２ｃを備え、凹形状２ｃ内には、フック形状２ｄが設けられる。
【００１８】
取付板３、冷却ファン装置２は、取付ネジ５によって、筐体１の保持具１ｂに固定される。
【００１９】
図２は取付板３を組み付ける前の状態を示す。前記電源リード線２ａの余長部分は冷却ファン装置２を取付後、冷却ファン装置２の凹形状２ｃに収納されると共に、フック形状２ｄにより係止される。
【００２０】
（動作）
次に、冷却ファン装置２の動作について説明する。
【００２１】
コネクタ４ａから電源リード線２ａを介して冷却ファン装置２に電源が供給されることにより、冷却ファン装置２内部の冷却ファンが回転する。それにより、筐体１に形成された吸気口（図示していない）から空気が筐体１内に吸引され、冷却ファン装置２を介して外部に排出される。筐体１内部の空気が連続的に入れ替わることにより、筐体１内部の温度上昇が抑えられる。このとき、筐体１内部に配線された電源リード線２ａは、空気の流れにより冷却ファン装置２の方向へ力を受ける。
【００２２】
（効果）
上述した取付構造により、電源リード線２ａのたるみは、冷却ファン装置２の凹形状２ｃに収納されるので、筐体１の内部でのたるみは発生しない。従って、電源リード線２ａが冷却ファン装置２の羽根に接触し破損するのを防ぐことが可能である。
【００２３】
更に、電源リード線２ａをフック形状２ｄに係止することにより、電源リード線２ａのたるみが、筐体１の内部に戻ってしまうことを防止する。
【００２４】
本発明の活用例として、冷却ファンを備えた全ての電子機器に適用できる。
【００２５】
＜実施の形態２＞
（構成）
図３は、本実施の形態に係る冷却ファン取付構造を示す分解図であり、図４はその組付図である。
【００２６】
図３に示すように、本実施の形態においては、取付板３は冷却ファン装置２の第２の面と対面する面において、第２の面との間に空間を形成する凹形状３ｂ（外面側は凸形状となる）が形成され、凹形状３ｂ内にはフック形状３ｃが設けられる。冷却ファン装置２については、実施の形態１で示したような凹形状２ｃおよびフック形状２ｄは形成されない。
【００２７】
図４は組付状態を示す。
【００２８】
前記リード線２ａの余長部分は冷却ファン装置２を取付後、取付板３の凹形状３ｂに収納されると共に、フック形状３ｃにより係止される。
【００２９】
その他の構成は、実施の形態１と同様であるため、ここでの詳細な説明は省略する。
【００３０】
（動作）
次に、冷却ファン装置２の動作について説明する。
【００３１】
実施の形態１と同様に、コネクタ４ａから電源リード線２ａを介して冷却ファン装置２に電源が供給されることにより、冷却ファン装置２内部の冷却ファンが回転する。それにより、筐体１に形成された吸気口（図示していない）から空気が筐体１内に吸引され、冷却ファン装置２を介して外部に排出される。筐体１内部の空気が連続的に入れ替わることにより、筐体１内部の温度上昇が抑えられる。このとき、筐体１内部に配線された電源リード線２ａは、空気の流れにより冷却ファン装置２の方向へ力を受ける。
【００３２】
（効果）
上述した取付構造により、電源リード線２ａのたるみは、取付板３の凹形状３ｂに収納されるので、筐体１の内部でのたるみは発生しない。従って、電源リード線２ａが冷却ファン装置２の羽根に接触し破損するのを防ぐことが可能である。
【００３３】
更に、電源リード線２ａをフック形状３ｃに係止することにより、電源リード線２ａのたるみが、筐体１の内部に戻ってしまうことを防止する。
【図面の簡単な説明】
【００３４】
【図１】本発明の実施の形態１に係る冷却ファン装置の取付構造を示す分解図である。
【図２】本発明の実施の形態１に係る冷却ファン装置の取付構造を示す組付図である。
【図３】本発明の実施の形態２に係る冷却ファン装置の取付構造を示す分解図である。
【図４】本発明の実施の形態２に係る冷却ファン装置の取付構造を示す組付図である。
【符号の説明】
【００３５】
１  筐体、１ａ  開口穴、１ｂ  保持具、２  冷却ファン装置、２ｂ  溝形状、２ｃ  凹形状、２ｄ  フック形状、３  取付板、３ａ  ファン穴、３ｂ  凸形状、３ｄ  フック形状、４  基板、４ａ  コネクター、５  取付ネジ。
【図１】
2008294243.tif 000003
【図２】
2008294243.tif 000004
【図３】
2008294243.tif 000005
【図４】
2008294243.tif 000006